(57)【要約】【課題】棚板の補強部を利用して照明ユニットを着脱自在とし、且つ、当該照明ユニットを棚板の厚み内に略収めて下部空間の有効利用を図れるようにすること。【解決手段】棚板１６の下面側に、一枚の金属板を折り返して前後一対の補強部３１，３１を形成し、これら補強部３１を利用して当該補強部３１，３１間の空間内に照明ユニット２６が着脱自在に装着されている。補強部３１を形成する屈曲面部３７にスペーサ４０が引っ掛けられ、このスペーサ４０に照明ボックス５１を保持したユニット保持体５１を取り付けることで、棚板１６の下面側に照明ユニット２６が配置される。この照明ユニット２６を取り外した状態では、ブックエンド等の被懸垂部材７０が着脱自在に装着可能となっている。【選択図】          図４
2004261383.tif 000002
【特許請求の範囲】
【請求項１】
棚板の下面側に補強部を設け、この補強部を利用して前記棚板の厚み内に略収まる状態で照明ユニットが棚板の下面側に着脱自在に設けられていることを特徴とする棚構造。
【請求項２】
前記照明ユニットは、棚板の左右方向に位置調整可能に設けられていることを特徴とする請求項１記載の棚構造。
【請求項３】
前記照明ユニットを棚板から取り外したときに、被懸垂部材が着脱自在に設けられていることを特徴とする請求項１又は２記載の棚構造。
【請求項４】
前記補強部は、前記棚板の平面部の下面側に位置して当該平面部に重なる前後一対の下平面部と、これら下平面部の相対する端部に連なって前記平面部との間に所定の隙間を形成する前後一対のレール状をなす屈曲面部とを備え、これら屈曲面部を利用して前記照明ユニットが着脱自在に設けられる一方、照明ユニットを取り外した状態で、ブックエンドが屈曲面部に着脱自在に設けられていることを特徴とする請求項１，２又は３記載の棚構造。
【請求項５】
前記照明ユニットは、前記屈曲面部に引っ掛けて棚板の下面側に配置可能となるスペーサを介して装着されるとともに、当該スペーサは、前記屈曲面部の延出方向に沿って移動可能に設けられていることを特徴とする請求項４記載の棚構造。
【発明の詳細な説明】
【０００１】
【発明の属する技術分野】
本発明は棚構造に係り、更に詳しくは、棚板の下面側を利用して照明ユニットを着脱自在に装着することができる棚構造に関する。
【０００２】
【従来の技術】
従来より、天板の上部に棚板を配置したデスクが知られている。この種のデスクにおいて、天板の上方で照明を行う場合には、天板の上面に照明スタンドを載せる場合の他、天板の外周部を利用して蛍光灯を保持するアームスタンドを固定することが行われている。また、天板の上部に棚板を設けたタイプのデスクにあっては、棚板の下面側に蛍光灯が位置するように、棚板を支持する側板に照明ユニットの基部を固定することも行われている。
【０００３】
【発明が解決しようとする課題】
しかしながら、棚板の下面側に照明ユニットを配置する従来構造にあっては、当該照明ユニットの基部を取り付けるための棚板がなければならないという設計上の制約がある。従って、側板を有しないタイプの棚板に照明ユニットを取り付ける場合には、棚板を貫通する取付穴を形成し、当該取付穴の形成位置に対応させて照明ユニットを配置し、ボルト等を介して棚板に照明ユニットを固定しなければならないという不都合がある。
また、棚板の下面に照明ユニットを配置する場合において、デスク天板と棚板の下面との間の空間が照明ユニットの存在によって狭められてしまうという不都合がある。この点、従来では、照明ユニットと天板との間の空間の有効利用を図るという点について、何らの配慮もなされていない。
【０００４】
【発明の目的】
本発明は、このような不都合に着目して案出されたものであり、その目的は、棚板自体が有する補強部を利用して照明ユニットを装着できるとともに、棚板とデスク天板との間の空間を狭めることのない棚構造を提供することにある。
【０００５】
本発明の他の目的は、前記補強部を利用してブックエンド等の被懸垂部材を着脱自在に装着でき、棚板の下面側を利用する形態を幅広く確保して汎用性を高めることのできる棚構造を提供することにある。
【０００６】
【課題を解決するための手段】
前記目的を達成するため、本発明は、棚板の下面側に補強部を設け、この補強部を利用して前記棚板の厚み内に略収まる状態で照明ユニットが棚板の下面側に着脱自在に設けられる、という構成を採っている。このような構成では、照明ユニットを配置することのできる領域若しくはスペースを確保可能となる補強部を形成することにより、棚板に取付穴を形成する必要を排除して照明ユニットを配置することができる。しかも、棚板の厚み内に照明ユニットが略収まる状態となるため、例えば、棚板の下方にデスク天板が位置する場合において、当該天板と棚板との上下方向空間を最大限に確保することができる。
【０００７】
【発明の実施の形態】
本発明における照明ユニットは棚板の左右方向に位置調整可能に設けることができる。このような構成とすれば、照明ユニットの位置をユーザーによって変更することができるようになり、照明位置の調整も可能となる。
【０００８】
また、前記照明ユニットを棚板から取り外したときに、被懸垂部材が着脱自在に設けられるようにすることもできる。このような構成では、照明ユニットをオプションとして位置づけた利用形態を選択的なものとすることができ、照明ユニットを取り外して被懸垂部材を配置することで、文具小物等を棚板下面側に保持させることが可能となる。
【０００９】
更に、前記補強部としては、前記棚板の平面部の下面側に位置して当該平面部に重なる前後一対の下平面部と、これら下平面部の相対する端部に連なって前記平面部との間に所定の隙間を形成する前後一対のレール状をなす屈曲面部とを備えて構成することができる。そして、前記屈曲面部を利用して前記照明ユニットが着脱自在に設けられる一方、照明ユニットを取り外した状態で、ブックエンドが屈曲部材に着脱自在に設けられる、という構成を採用することができる。この際、照明ユニットは、前記屈曲面部に引っ掛けて棚板の下面側に配置可能となるスペーサを介して装着でき、当該スペーサを、屈曲面部の延出方向に沿って移動可能に設けることもできる。
【００１０】
なお、本明細書において位置を示す用語、すなわち、「左右」、「上下」とは、図２に示される位置を基準として用いるものとし、また、「前」とは、図１中左側を示し、「後」とは同図中右側を示すものとする。
【００１１】
【実施例】
以下、本発明の実施例を図面を参照しながら説明する。
【００１２】
図１には、本実施例に係る棚構造が適用されたデスクの概略側面図が示され、図２には、その正面図が示されている。これらの図において、デスク１０は、左右一対をなす支柱１１，１１と、これら支柱１１，１１の上端部間と、下端部よりやや上方位置間を相互に連結する上部連結フレーム１２及び下部連結フレーム１３と、支柱１１の前部側の所定高さ位置に設けられた天板１４と、この天板１４の上方に配置された上段の棚板１５及び下段の棚板１６と、前記天板１４の位置から前記上部連結フレーム１２までの空間を閉塞するように支柱１１，１１間に配置されたバックパネル１８とを備えて構成されている。
【００１３】
前記支柱１１は、略中空の角パイプ状をなし、その前後各面に、上下方向に沿って延びるスロット穴１１Ａが形成され、このスロット穴１１Ａを利用して棚板１５，１６等が支持されるようになっている。また、支柱１１の下端部には、床面に沿う水平脚２０が形成され、これにより、前記上下の各連結フレーム１２，１３で各支柱１１を連結したときに自立可能となる。
【００１４】
前記天板１４は、前部下面側において、左右二箇所位置が脚柱２２，２２によって支持されている一方、後部下面側の左右二箇所がブラケット２３，２３によって支持されている。ブラケット２３は後端部に設けられた図示しないフックを支柱１１のスロット穴１１Ａに引っ掛けて当該支柱１１に支持される公知の構造となっている。
【００１５】
前記上段の棚板１５及び下段の棚板１６は、支柱１１のスロット穴１１Ａに引っ掛けて支持された公知のブラケット２４，２５を介してそれぞれ支持されている。各棚板１５，１６は、前後幅が相違するだけで、実質的には略同様の構造となっている。本実施例では、下段の棚板１６の下面側に照明ユニット２６（図４参照）が着脱自在に装着されている。
【００１６】
前記下段の棚板１６は一枚の金属板、本実施例では、スチールを成形素材として形成されている。この棚板１６は、図３及び図４に示されるように、ファイル、書籍等を載せるための略長方形状の上平面部２７と、この上平面部２７の前端及び後端から垂下した前後一対の前面部２８及び後面部２９と、上平面部２７の左右両端から垂下した左右一対の側面部３０，３０と、前面部２８及び後面部２９の下端に連なって上平面部２７の下面側に位置する前後一対の補強部３１，３１とを備えて構成されている。ここで、本実施例では、棚板１６の厚み、すなわち、前記前面部２８，後面部２９及び側面部３０の高さは約２０ｍｍに設定されている。
【００１７】
補強部３１は、上平面部２７と略平行に設けられた折り返し面部３２と、この折り返し面部３２の内方端から上平面部２７に向かって延びる傾斜面部３３と、この傾斜面部３３の先端（図４中上端）に連なるとともに、上平面部２７の下面に接してこれにスポット溶接される下平面部３５と、この下平面部３５の内方端に連なって前記上平面部２７との間に隙間を形成する前後一対のレール状をなす屈曲面部３７とを備えて構成され、この屈曲面部３７を利用して前後の傾斜面部３３，３３間の空間内に照明ユニット２６が配置できるようになっている。
【００１８】
前記照明ユニット２６は、図４及び図５に示されるように、スペーサ４０を介して下段の棚板１６の下面側に着脱自在に装着されている。スペーサ４０は、前記屈曲面部３７と上平面部２７との間の隙間内に挿入可能な前後一対の挿入片４２，４２と、これら挿入片４２の内方端に連なる垂直片４３，４３と、これら垂直片４３，４３の下端間を連結する底片４４とにより構成され、挿入片４２，４２を屈曲面部３７の長手方向一端側から隙間内に挿入することで、スペーサ４０が屈曲面部３７に引っ掛かかるようになっている。ここで、前記底片４４の内面側には、ナット部材４５が固定されており、このナット部材４５の中心穴に対応して底片４４の面内に穴４７（図６参照）が形成されている。
【００１９】
前記照明ユニット２６は、図６に示されるように、ユニット保持体５０と、このユニット保持体５０に保持される照明ボックス５１とからなる。ユニット保持体５０は、平面視長方形状の保持面５３と、この保持面５３の前後両端に連なる折り曲げ面５４，５４と、前記保持面５３の略中央部領域に細長い照明用穴５５が形成されるように細長いコ字状に切り込みを形成して段押しされた屈曲保持片５６とを備えて構成されている。屈曲保持片５６は、側端形状が略Ｌ字状（図５参照）をなし、この屈曲保持片５６と保持面５３との間に照明ボックス５１を挟み込んでこれを保持するようになっている。また、ユニット保持体５０の長さは、棚板１６の左右方向長さよりも短く設定されている。本実施例では、屈曲片部３７の長さに略対応した長さに設定されている。前記保持面５３において、長手方向両側には、前後一対のねじ挿入穴５７が形成され、当該ねじ挿入穴５７内に挿入されるねじ５８を前記スペーサ４０のナット部材４５に締め付けできるようになっている。また、保持面５３の一つのコーナー近傍には、スイッチ６０が着脱自在に固定され、このスイッチ６０には、商用電源に接続するためのコンセント６１と、照明ボックス５１と電気的に接続するケーブル６２が接続されている。
【００２０】
前記照明ボックス５１は、二本の蛍光管６５，６５を略同一直線上に配置した細長い箱状をなし、この照明ボックス５１を前記ユニット保持体５０に保持させたときに、蛍光管６５，６５が照明用穴５５内に位置するようになっている。
【００２１】
本実施例に係る照明ユニット２６を組み立てる場合には、図６に示されるように、下段の棚板１６の下面側が上向きとなるように適当な作業台の上に載せておき、この状態で、スペーサ４０，４０を屈曲片部３７，３７の長手方向両端側にそれぞれ配置する。そして、照明ボックス５１を保持したユニット保持体５０を上方から被せるように降ろし、前後の折り曲げ面５４の上端（図６では下端）を補強部３１，３１の下平面部３５，３５上に載せる。次いで、ねじ５８を前記スペーサ４０のナット部材４５に締め付けることにより、照明ユニット２６を下段の棚板１６の下面側に装着することができる。この状態では、照明ユニット２６は、棚板１６の厚み内に略収まることとなる。このようにして照明ユニット２６が装着された棚板１６は、図１に示されるように、左右のブラケット２５，２５に支持させることで、天板１４上に照明ユニット２６が配置されることとなる。なお、照明ユニット２６は、スペーサ４０の左右方向位置をずらすことにより棚板１６の下面側における左右位置を調整することができる。
【００２２】
従って、このような実施例によれば、棚板１６の補強部３１，３１間に空間を設けて当該棚板１６の厚み内に収まる状態で照明ユニット２６が配置されるから、当該照明ユニット２６が棚板１６の下面から大きく突出することがなくなり、棚板１６と天板１４との間の高さ方向の空間を大きく確保することができる。従って、天板１４の後部上面に書籍等を立て掛ける際に、照明ユニット２６の存在が邪魔になるようなことはない。また、照明ユニット２６の突出がないことにより、棚板１６の高さ位置を支柱１１に対して下げた位置に設定することもでき、書籍等を立て掛ける高さ方向の空間を確保した状態で机上面に近接した位置に棚板１６を配置することも可能となる。また、棚板１６の補強部３１を利用した形態で照明ユニット２６を装着する構成であるから、同一若しくは同等の補強部構成を備えた棚板に適用することができ、その汎用性も拡大されることとなる。また、照明ユニット２６を棚板１６の下面に設けた構成では、当該照明ユニット２６自体も棚板１６を補強する部材として作用し得るようになる。従って、補強部３１の補強効果と相まって棚板１６の強度を更に増大させることができる。
【００２３】
本発明を実施するための最良の構成、方法などは、以上の記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上に述べた実施例に対し、形状、材料、位置、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２４】
例えば、前記実施例では、棚板１６の下面に照明ユニット２６を配置した場合を説明したが、図７に示されるように、照明ユニットを取り外した状態で、前記屈曲面部３７に引っ掛けて利用することのできるブックエンド等の被懸垂部材７０を用いることもでき、これにより、天板１４の後部上面にファイルＦ等を立て掛けた状態で当該ファイルＦの転倒を防止しつつ整列配置を行うことができる。このような懸垂部材７０は、前記屈曲面部３７の長さ領域内において複数利用することもできる。
【００２５】
また、ブックエンドに代えて、文具小物等を収納若しくは出し入れできる収納体を前記屈曲面部３７に引っ掛けて装着できるようにしてもよい。
【００２６】
更に、図示の場合において、ユニット保持体５０又は照明ユニット２６の長さを短く設定することにより、照明ユニット２６とブックエンド等の被懸垂部材７０とを前記補強部３１に対して併用することも妨げない。
【００２７】
また、前記実施例では、棚構造がデスク１０に適用された場合を示したが、本発明は、一般の書架に適用することもできる。例えば、比較的照明の暗い室内に配置される書架棚に本発明を適用すれば、開架される書籍の背見出し等を明瞭に認識させることが可能となる。
【００２８】
【発明の効果】
以上説明したように、本発明によれば、棚板の補強部を利用した状態で、当該棚板の厚み内に略収まる照明ユニットを着脱可能に設けたから、棚板の面内に照明ユニットを取り付けるための貫通穴等の取付穴を形成する必要性を排除することができるという効果を得る。しかも、照明ユニットが棚板の下面側に突出することがないため、当該棚板の下面側空間の有効利用を図ることも可能となる。
【００２９】
また、照明ユニットを棚板の左右方向又は前後方向に位置調整可能に設けた構成では、ユーザーによって、照明ユニットの位置を容易に変更することができる。
【００３０】
更に、ブックエンド等の被懸垂部材を着脱自在とした構成によれば、照明ユニットをオプションとして位置づけることができ、棚板における下面側の利用形態を多様化させることが可能となり、棚板下の空間を多目的に利用することができる。
【００３１】
また、補強部がレール状をなす屈曲面部を含み、この屈曲面部を利用して照明ユニット等が着脱自在に設けられているため、屈曲面部に引っ掛けられる部位を滑らせることが可能となり、照明ユニットや被懸垂部材の位置調整を行う場合の操作もスムースに行うことができる。
【図面の簡単な説明】
【図１】実施例に係るデスクの概略側面図。
【図２】図１の概略正面図。
【図３】棚板の概略斜視図。
【図４】図３の左側面図。
【図５】図４の分解側面図。
【図６】棚板と照明ユニットの上下位置を反転させた状態の分解斜視図。
【図７】ブックエンドを棚板に装着した状態を示す側面図。
【符号の説明】
１０  デスク
１１  支柱
１４  天板
１５  棚板
１６  棚板
２６  照明ユニット
２７  上平面部
３５  下平面部
３７  屈曲面部
４０  スペーサ
５０  ユニット保持体
５１  照明ボックス
７０  ブックエンド（被懸垂部材）
【図１】
2004261383.tif 000003
【図２】
2004261383.tif 000004
【図３】
2004261383.tif 000005
【図４】
2004261383.tif 000006
【図５】
2004261383.tif 000007
【図６】
2004261383.tif 000008
【図７】
2004261383.tif 000009